(57)【特許請求の範囲】
【請求項１】
鋸本体に支持される支持バーと、
前記支持バーから延びる調整部と、
前記調整部に連接される変動部とを備え、
前記調整部は、前記支持バーと前記変動部との間に、前記支持バーから延びる第１調整板部と、前記第１調整板部から延びて前記第１調整板部と対向する位置関係で配置される第２調整板部を含み、
前記調整部はさらに、前記第１調整板部と前記第２調整板部のうち一方の調整板部に保持されるとともに、他方の調整板部に接し、または係合する調整部材を含み、
ユーザによる前記調整部材の操作により、前記調整部材と前記他方の調整板部との位置関係が変化することによって、前記第１調整板部と前記第２調整板部との間隔が調整可能であり、
前記変動部は、切断部材と当接する当接部を有することを特徴とする鋸用ガイド。
【請求項２】
前記調整部は、前記第１調整板部と前記第２調整板部との間に、少なくとも１つの第３調整板部を含み、
前記第３調整板部は、前記第１調整板部、及び前記第２調整板部と対向する位置関係で配置されることを特徴とする請求項１に記載の鋸用ガイド。
【請求項３】
前記調整部材はネジであり、
前記第１調整板部、及び前記第２調整板部がそれぞれ、前記ネジのネジ穴を有し、当該ネジ穴の一方は、前記ネジと係合する第１ネジ穴であって、他方は前記ネジを螺動させることなく回転可能とする第２ネジ穴であり、
前記ネジは、前記第２ネジ穴を有する調整板部に保持され、前記第１調整板部と前記第２調整板部の間隔が、前記ユーザによる前記ネジの回転によって調整されることを特徴とする請求項１または２に記載の鋸用ガイド。
【請求項４】
前記ネジ、及び前記第２ネジ穴を有する調整板部の少なくとも一方は、前記ネジが、前記第２ネジ穴を有する調整板部に保持されるように、前記ネジの回転軸方向への変位を制限する変位制限手段を有することを特徴とする、請求項３に記載の鋸用ガイド。
【請求項５】
前記調整部材は摺動溝係合突起を備え、
前記第１調整板部と前記第２調整板部のうち一方の調整板部は、前記調整部材を、前記一方の調整板部の板面部に平行な回転軸の周りを回転可能なように保持し、
他方の調整板部は、前記他方の調整板部の長手方向に沿って前記他方の調整板部の板面部との距離が変化するよう形成された摺動溝を備え、前記調整部材は、前記調整部材の摺動溝係合突起が摺動溝内を滑動するよう配置され、
前記調整部材の回転に応じて、前記第１調整板部と前記第２調整板部の間隔が変化するよう構成されることを特徴とする請求項１または２に記載の鋸用ガイド。
【請求項６】
前記調整部材はカム部材を備え、
前記第１調整板部と前記第２調整板部のうち一方の調整板部は、前記調整部材を、前記一方の調整板部の板面部に平行な回転軸の周りを回転可能なように保持し、
前記カム部材は、他方の調整板部の板面部に接するように配置され、前記調整部材の回転に応じて、前記第１調整板部と前記第２調整板部の間隔が変化するよう構成されることを特徴とする請求項１または２に記載の鋸用ガイド。
【請求項７】
前記変動部は、前記調整部材により、前記第１調整板部と前記第２調整板部の間隔が変位する場合に、前記支持バーから前記第１調整板部までの範囲のうち一部に沿ってスライドするスライド部を有することを特徴とする、請求項１ないし６のいずれかに記載の鋸用ガイド。
【請求項８】
鋸刃を駆動するモータを格納するハウジングを保持し、鋸刃によって切断部材を切断する場合に下面で前記切断部材に接するベースと、
請求項１ないし７のいずれかに記載の鋸用ガイドと、
前記ベースに前記鋸用ガイドの支持バーを支持する支持部とを備えたことを特徴とする鋸。
【発明の詳細な説明】
【技術分野】
【０００１】
本発明は、電動丸鋸等のベースに取り付けられ、切断部材の切断位置を微調整することができる鋸用ガイドに関する。
【背景技術】
【０００２】
従来より、電動丸鋸のベースに取り付けられ、切断部材の位置を案内することができる電動丸鋸ガイドがいくつか販売されている。これらの電動丸鋸ガイドは、電動丸鋸の本体の一部であるベースに対して一定方向に移動可能となっており、電動丸鋸のユーザは、この電動丸鋸ガイドを移動させることによって切断部材の切断位置を調整し、ネジ等によってその電動丸鋸ガイドを電動丸鋸のベースに固定する。
【０００３】
例えば、特許文献１に開示されている電動丸鋸用平行ガイドは、２本の支持バーと、これらに直角に配置され切断部材に接するガイド体が、回転軸を中心に回転するように構成される。ガイド体は、ガイドの摺動面と鋸刃面とが平行になるように回転され、その後、ネジによって固定される。
【０００４】
また、特許文献２に開示されている携帯用電気丸鋸のガイドは、１つの支持板と当板部を有するＴ字形ガイドであり、支持板に保持されたネジは、鋸本体のベースと当接するよう構成される。ネジの操作によって支持板と鋸本体のベースとの相対位置が変化し、それによって切断部材と接する押え板の位置が調整される。
【０００５】
さらに、特許文献３に開示されている丸のこ平行定規は、１つの支持バーと当板部を有するＴ字形ガイドである。支持バーは、固定ネジにより鋸本体のベースに固定され、当板部は、スライド可能に支持バーに取り付けられ、支持バーに設けられたネジ山に沿ってネジを回すことで支持バーとの相対位置が調整され、その後、固定ネジで支持バーに固定される。
【先行技術文献】
【特許文献】
【０００６】
【特許文献１】特開平１１−３４００３号公報
【特許文献２】実開平７−２００１号公報
【特許文献３】登録実用新案第３１６３６４４号公報
【発明の概要】
【発明が解決しようとする課題】
【０００７】
しかしながら、上述した、特許文献１の電動丸鋸用平行ガイドでは、切断部材に接するガイド体の角度を調整して、切断部材を適切な角度で切断するよう調整するものであるため、切断部材の切断幅を微調整するのに適した構成とはなっていない。また、ガイド体は、（ユーザによって）回転軸を中心に回転され、ネジによって固定される構造であるため、指先等による簡単な操作で微少な調整を行うことができない。
【０００８】
また、上述した、特許文献２の携帯用電気丸鋸のガイドは、ネジの回転で鋸本体のベースを押すことで押え板の位置が調整されるようになっているため、ガイドの構成だけで切断部材の切断位置を微調整できる構成となっていない。
【０００９】
さらに、上述した、特許文献３の丸のこ平行定規は、支持バーに設けられたネジ山に沿って回すネジがスライドの移動を抑止するストッパとして機能し、そのストッパでスライドの位置を調整し、別の固定ネジによりスライドを固定するようになっている。そのため、スライドを保持しながら固定ネジを操作する必要があり、指先等による簡単な操作で微少な調整を行うことができない。また、支持バーとスライドは別個の部品で構成され、２つのネジを備えているため部品点数が多く、構成が複雑になるとともに、丸のこによる振動の影響を受けやすい。
【００１０】
従って、本発明の目的は、切断部材の切断位置を、指先等による簡単な操作で微調整できる鋸用ガイドを提供することである。また、本発明の目的は、鋸用ガイドにおける相対的な変位によって切断部材の切断位置を調整することができる鋸用ガイドを提供することである。またさらに、本発明の目的は、部品点数の少ないシンプルな構成の鋸用ガイドを提供することである。
【課題を解決するための手段】
【００１１】
本発明は、以下のような鋸用ガイドを提供する。
【００１２】
本発明の第１の実施態様は、
鋸本体に支持される支持バーと、
前記支持バーから延びる調整部と、
前記調整部に連接される変動部とを備えるように構成された鋸用ガイドである。
ここで、前記調整部は、前記支持バーと前記変動部との間に、前記支持バーから延びる第１調整板部と、前記第１調整板部から延びて前記第１調整板部と対向する位置関係で配置される第２調整板部を含み、
前記調整部はさらに、前記第１調整板部と前記第２調整板部のうち一方の調整板部に保持されるとともに、他方の調整板部に接し、または係合する調整部材を含み、
ユーザによる前記調整部材の操作により、前記調整部材と前記他方の調整板部との位置関係が変化することによって、前記第１調整板部と前記第２調整板部との間隔が調整可能であり、
前記変動部は、前記支持バーの長手方向とほぼ直角に配置され、切断部材と当接する当接部を有するように構成される。
【００１３】
こうした本発明の実施態様によって、鋸用ガイドは、単純な構造を有するとともに、ユーザによる調整部材の操作により、簡単かつ精密に、切断部材の切断位置を調整することができる。
【００１４】
本発明の第２の実施態様は、第１の実施態様において、
前記調整部が、前記第１調整板部と前記第２調整板部との間に、少なくとも１つの第３調整板部を含み、
前記第３調整板部が、前記第１調整板部、及び前記第２調整板部と対向する位置関係で配置されるように構成される鋸用ガイドである。
【００１５】
本発明の第３の実施態様は、第１または第２の実施態様において、
前記調整部材がネジであり、
前記第１調整板部、及び前記第２調整板部がそれぞれ、前記ネジのネジ穴を有し、当該ネジ穴の一方は、前記ネジと係合する第１ネジ穴であって、他方は前記ネジを螺動させることなく回転可能とする第２ネジ穴であり、
前記ネジが、前記第２ネジ穴を有する調整板部に保持され、前記第１調整板部と前記第２調整板部の間隔が、前記ユーザによる前記ネジの回転によって調整されるように構成される鋸用ガイドである。
【００１６】
本発明の第４の実施態様は、第３の実施態様において、
前記ネジ、及び前記第２ネジ穴を有する調整板部の少なくとも一方が、前記ネジが、前記第２ネジ穴を有する調整板部に保持されるように、前記ネジの回転軸方向への変位を制限する変位制限手段を有するように構成される鋸用ガイドである。
【００１７】
本発明の第５の実施態様は、第１または第２の実施態様において、
前記調整部材が摺動溝係合突起を備え、
前記第１調整板部と前記第２調整板部のうち一方の調整板部が、前記調整部材を、前記一方の調整板部の板面部に平行な回転軸の周りを回転可能なように保持し、
他方の調整板部が、前記他方の調整板部の長手方向に沿って前記他方の調整板部の板面部との距離が変化するよう形成された摺動溝を備え、前記調整部材は、前記調整部材の摺動溝係合突起が摺動溝内を滑動するよう配置され、
前記調整部材の回転に応じて、前記第１調整板部と前記第２調整板部の間隔が変化するよう構成される鋸用ガイドである。
【００１８】
本発明の第６の実施態様は、第１または第２の実施態様において、
前記調整部材がカム部材を備え、
前記第１調整板部と前記第２調整板部のうち一方の調整板部が、前記調整部材を、前記一方の調整板部の板面部に平行な回転軸の周りを回転可能なように保持し、
前記カム部材が、他方の調整板部の板面部に接するように配置され、前記調整部材の回転に応じて、前記第１調整板部と前記第２調整板部の間隔が変化するよう構成される鋸用ガイドである。
【００１９】
本発明の第７の実施態様は、第１ないし第６のいずれかの実施態様において、
前記変動部が、前記調整部材により、前記第１調整板部と前記第２調整板部の間隔が変位する場合に、前記支持バーから前記第１調整板部までの範囲のうち一部に沿ってスライドするスライド部を有するように構成される鋸用ガイドである。
【００２０】
本発明の第８の実施態様は、
鋸刃を駆動するモータを格納するハウジングを保持し、鋸刃によって切断部材を切断する場合に下面で前記切断部材に接するベースと、
第１ないし第７のいずれかの実施態様の鋸用ガイドと、
前記ベースに前記鋸用ガイドの支持バーを支持する支持部とを備えたことを特徴とする鋸。
【００２１】
本発明の第９の実施態様は、第４の実施態様において、
前記調整ネジが、前記第２ネジ穴を有する調整板部の両側で、前記変位制限手段として機能するネジ凸部をそれぞれ設け、
前記ネジ凸部の一方と前記第２ネジ穴を有する調整板部との間において、前記調整ネジの周りにバネ等の弾性体を配設するように構成される鋸用ガイドである。
【００２２】
本発明の第１０の実施態様は、第３または第４の実施態様において、
前記第１ネジ穴を有する調整板部と前記第２ネジ穴を有する調整板部との間において、前記調整ネジの周りにバネ等の弾性体が配設されるように構成される鋸用ガイド。
【００２３】
本発明の第１１の実施態様は、第５または第６の実施態様において、
切断部材の切断時において前記調整部材が変動するのを防止するために、前記調整部材の変動防止機構を設けるように構成される鋸用ガイド。
【発明の効果】
【００２４】
本発明に係る鋸用ガイドによって、切断部材の切断位置を、指先等による簡単な操作で微調整することができる。また、本発明によって、鋸用ガイドにおいて、他の部材（例えば、電動丸鋸の本体の一部であるベース）と関連することなく相対的に変位して切断部材の切断位置を調整することができ、またさらに、部品点数の少ないシンプルな構成の鋸用ガイドを提供することができる。
【図面の簡単な説明】
【００２５】
【図１】本発明の一実施形態に係る鋸用ガイドと、この鋸用ガイドを利用する鋸の構成を示す図である。
【図２】本発明の一実施形態に係る鋸用ガイドの構成を示す図である。
【図３】本発明の一実施形態に係る鋸用ガイドの構成を示す図である。
【図４】本発明の一実施形態に係る鋸用ガイドの構成を示す図である。
【図５】本発明の一実施形態に係る鋸用ガイドの構成を示す図である。
【図６】本発明の一実施形態に係る鋸用ガイドの調整部材の構成を示す図である。
【図７】本発明の一実施形態に係る鋸用ガイドの調整部材の構成を示す図である。
【図８】本発明の一実施形態に係る鋸用ガイドの調整部材の構成を示す図である。
【図９】本発明の一実施形態に係る鋸用ガイドの調整部材の構成を示す図である。
【図１０】本発明の一実施形態に係る鋸用ガイドの調整部材の構成を示す図である。
【図１１】本発明の一実施形態に係る鋸用ガイドの調整部材の構成を示す図である。
【図１２】本発明の一実施形態に係る鋸用ガイドの変動部の構成を示す図である。
【図１３】本発明の一実施形態に係る鋸用ガイドの変動部の構成を示す図である。
【図１４】本発明の一実施形態に係る鋸用ガイドの変動部の構成を示す図である。
【発明を実施するための形態】
【００２６】
最初に、本発明の一実施形態に係る鋸用ガイドと、この鋸用ガイドを利用する鋸（この例では、電動丸鋸）の構成について、図１を参照して概略説明する。
【００２７】
図１（Ａ）には、本発明の一実施形態に係る鋸用ガイド２０が、電動丸鋸１のベース１５に固定された状態が示されている。電動丸鋸１は、鋸刃１１、カバー１２、取っ手１３、鋸刃１１を駆動するモータを内部に格納するハウジング１４、下面で切断部材に接するベース１５、支持ネジ１６、ベース１５に保持され支持ネジ１６のネジ溝を備えるガイド支持部１７、及びガイド貫通孔１８を備える。
【００２８】
鋸用ガイド２０は、電動丸鋸の使用状態では、図１（Ａ）に示すように、後述する支持バー２１がガイド貫通孔１８とガイド支持部１７を貫通するように配置され、ガイド支持部１７において、支持ネジ１６によりベース１５に圧着され支持される。これによって、鋸用ガイド２０が、木材等の切断部材５を電動丸鋸１の鋸刃１１に対して適切な位置に案内（ガイド）し、電動丸鋸１を図１（Ａ）に示す矢印方向に移動させることで、切断部材５を所望の切断幅に切断することができる。
【００２９】
なお、図１（Ａ）において、本発明の一実施形態に係る鋸用ガイド２０は、携帯型電動丸鋸である電動丸鋸１に取り付けられているが、本発明の鋸用ガイドは、据え置き型の電動丸鋸を含む様々な他のタイプの鋸において使用され得る。
【００３０】
図１（Ｂ）には、本発明の一実施形態に係る鋸用ガイド２０が示されている。鋸用ガイド２０は、支持バー２１、切断部材５の端部の位置を微調整するように変動する変動部２３、及びネジ等からなる調整部材２４を含む。鋸用ガイド２０は、最初に、電動丸鋸１の本体との位置関係が変化しないよう、支持ネジ１６によりベース１５に保持されておおまかな位置調整が行われ、次に、調整部材２４を操作することによって鋸用ガイド２０の位置について微調整が行われる。このような２段階の調整によって、切断部材５の切断位置が精密に位置決めされる。
【００３１】
なお、図１（Ｂ）の例では、鋸用ガイド２０が１つの支持バー２１を備えるものとして示されているが、２つの支持バー（例えば、切断面に対してほぼ直角に配置される支持バーであって、互いにほぼ平行に配置され、１つの変動部に連接された支持バー）を備える構成であってもよい。
【００３２】
次に、図２ないし図５を参照して、本発明に係る鋸用ガイドの具体的な構成の例について説明する。
【００３３】
図２（Ａ）は、図１（Ｂ）に示す本発明の鋸用ガイド２０を詳細に示す図であり、支持バー２１、調整部２２、及び変動部２３を含むように構成される。支持バー２１は、電動丸鋸１の本体に、例えば、図１（Ａ）に示すような態様で支持され、支持バー２１から調整部２２が延び、さらに、調整部２２は変動部２３に連接される。
【００３４】
支持バー２１と調整部２２は、例えば、一体的に構成された板状部材から形成され、図２（Ａ）に示すように、支持バー２１から延びた板状部材が下側に約１８０度屈曲され、調整部２２が形成されるように構成される。
【００３５】
調整部２２は、例えば、支持バー２１から約１８０度屈曲されて延びた板状部材を下方向に約９０度（すなわち、支持バー２１の長手方向とほぼ直角に）屈曲させて第１調整板部２２ａを構成し、さらに約１８０度屈曲させて第２調整板部２２ｂを構成し、その後、約９０度（すなわち、支持バー２１の長手方向とほぼ平行に）屈曲させた形状に形成される。
【００３６】
よって、調整部２２は、第１調整板部２２ａと第２調整板部２２ｂを含むように構成され、第１調整板部２２ａは第２調整板部２２ｂと対向する位置関係で配置される。さらに、第１調整板部２２ａと第２調整板部２２ｂとの間隔は、調整部材２４によって調整される。調整部材２４は、例えば、図２（Ａ）に示すようなネジであり、この例では、ネジが第１調整板部２２ａに保持され、第２調整板部２２ｂに螺合される。ネジを回転させると、ネジと第１調整板部２２ａとの（ネジの回転軸方向についての）位置関係は変化せず、第２調整板部２２ｂは、ネジ溝に沿ってネジ山が移動することで、第１調整板部２２ａに近づく方向に、または第１調整板部２２ａから離れる方向に変位する。調整部２２は、図１（Ｂ）に示す例では、変動部２３に向かって徐々に幅広に構成される。
【００３７】
変動部２３は、例えば、図１（Ｂ）に示すように、支持バー２１の長手方向とほぼ直角に延び（配置され）、少なくとも変動部２３の当接面２３ａにおいて切断部材５に接し、切断部材５の端部の位置を案内する。変動部２３を、調整部２２に直接的、または間接的に連接することができる。また、当接面２３ａの長手方向（支持バー２１の長手方向とほぼ直角の方向）に回転軸を設けて調整部２２または変動部２３と接合し、変動部２３の当接面２３ａと切断部材５の端部とが、より大きな面積で接するように、当接面２３ａを回転可能にすることもできる。
【００３８】
なお、この例では、変動部２３が当接面２３ａを備える構成となっているが、変動部２３が、少なくとも一部において切断部材５と当接する当接部を備えていれば、当接面２３ａのような平面を備える必要はない。例えば、変動部２３は、ギザギザ状の断面を有する当接部を備えるようにすることができる。以降で説明する実施形態では、変動部が当接面を有するように例示されているが、様々な態様の当接部を備えるように構成することができる。
【００３９】
変動部２３は、調整部材２４によって、第１調整板部２２ａと第２調整板部２２ｂとの間隔が調整されることに応じて、支持バー２１の長手方向に沿って変動し、これによって、切断部材５の切断位置が微調整される。
【００４０】
なお、支持バー２１、調整部２２、及び変動部２３を一体的に構成することができるが、各構成要素を様々な方法でつなぎ合わせるように構成してもよい。また、これらの構成要素の間に他の部材を含んで構成するようにしてもよい（以下に示す他の実施形態の鋸用ガイドについても同様である）。
【００４１】
また、支持バー２１及び調整部２２は、上記のように板状部材により構成されるが、一般的には、１ｍｍないし３ｍｍといった厚さの板状部材である。しかしながら、そのような範囲の形状に限定されるものではなく、製造・使用等の条件に応じて様々な形状を適宜選択することができる（以下に示す他の実施形態の鋸用ガイドについても同様である）。図２（Ａ）においては、構造を分かりやすく説明するため、模式的に板状部材を厚くして表現している（以降の図面について同じである）。
【００４２】
また、支持バー２１、調整部２２、及び変動部２３は、例えば、金属、またはプラスチックの板状部材により構成される（以下に示す他の実施形態の鋸用ガイドについても同様である）。
【００４３】
図２（Ｂ）は、本発明の他の実施態様に係る鋸用ガイド３０を示す図であり、支持バー３１、調整部３２、及び変動部３３を含むように構成される。支持バー３１は、図２（Ａ）の構成と同様に、電動丸鋸１の本体に、例えば、図１（Ａ）に示すような態様で支持され、支持バー３１から調整部３２が延び、さらに、調整部３２は変動部３３に連接される。
【００４４】
支持バー３１と調整部３２は、例えば、一体的に構成された板状部材からなり、図２（Ｂ）に示すように、支持バー３１から延びた板状部材が下側に約１８０度屈曲され、調整部３２が形成されるように構成される。
【００４５】
ここで、調整部３２は、例えば、支持バー３１から約１８０度屈曲されて延びた板状部材を下方向に約９０度（すなわち、支持バー３１の長手方向とほぼ直角に）屈曲させて第１調整板部３２ａを構成し、さらに約１８０度屈曲させて第３調整板部３２ｃを構成する。さらに、第３調整板部３２ｃから約１８０度屈曲させて第２調整板部３２ｂを構成するとともに、そこから枝分かれして、第３調整板部３２ｃから約９０度（すなわち、支持バー３１の長手方向とほぼ平行に）屈曲させた形状に形成される。
【００４６】
よって、調整部３２は、第１調整板部３２ａ、第２調整板部３２ｂ、及び第３調整板部３２ｃを含むように構成され、第１調整板部３２ａは第２調整板部３２ｂと対向する位置関係で配置され、第３調整板部３２ｃは、第１調整板部３２ａと第２調整板部３２ｂとの間に配置され、第１調整板部３２ａと第２調整板部３２ｂにそれぞれ対向する。このように、第１調整板部３２ａと第２調整板部３２ｂとの間には、第３調整板部３２ｃが配置されているが、ここでは、第１調整板部３２ａと第２調整板部３２ｂは、対向する位置関係であるとする。本明細書において、「対向する位置関係」とは、実質的に互いに向かい合う位置関係にあることを意味し、直接的に対面する位置関係や、厳密に平行に配置された位置関係を意味するものではない。
【００４７】
さらに、第１調整板部３２ａと第２調整板部３２ｂとの間隔は、調整部材３４によって調整される。調整部材３４は、例えば、図２（Ｂ）に示すようなネジであり、この例では、ネジが第１調整板部３２ａに保持され、第３調整板部３２ｃを貫通し、第２調整板部３２ｂに螺合される。ネジを回転させると、ネジと第１調整板部３２ａとの（ネジの回転軸方向についての）位置関係は変化せず、第２調整板部３２ｂは、ネジ溝に沿ってネジ山が移動することで、第１調整板部３２ａに近づく方向に、または第１調整板部３２ａから離れる方向に変位する。調整部３２は、図１（Ｂ）に示すように、当接面３３ａを備えた変動部３３と連接される位置に向かって徐々に幅広に構成される。
【００４８】
変動部３３は当接面３３ａを備え、その構成は、図２（Ａ）に示す変動部２３と同様の構成である。変動部３３はまた、調整部材３４によって、第１調整板部３２ａと第２調整板部３２ｂとの間隔が調整されることに応じて、支持バー３１の長手方向に沿って変動し、これによって、切断部材５の切断位置が微調整される。
【００４９】
図２（Ｂ）に示す鋸用ガイド３０の構成によって、第１調整板部３２ａと第２調整板部３２ｂとの間隔が調整される際に、当接面３３ａに生ずる歪み（切断部材５の端部と当接面３３ａの傾き）を効果的に低減させることができる。
【００５０】
なお、支持バー３１、調整部３２、及び変動部３３を一体的に構成することができるが、各構成要素を様々な方法でつなぎ合わせるように構成してもよい。また、これらの構成要素の間に他の部材を含んで構成するようにしてもよい。
【００５１】
また、図２（Ｂ）に示す例では、第１調整板部３２ａと第２調整板部３２ｂとの間に１つの中間調整板部（第３調整板部３２ｃ）が配置されるように構成されているが、複数の中間調整板部を配置するようにしてもよい。
【００５２】
図３（Ａ）は、本発明の他の実施態様に係る鋸用ガイド４０を示す図であり、支持バー４１、調整部４２、及び変動部４３を含むように構成される。基本的な構成は、図２（Ａ）の構成と同様である。すなわち、調整部４２は、第１調整板部４２ａと第２調整板部４２ｂを含み、第１調整板部４２ａと第２調整板部４２ｂとの間隔は調整部材４４によって微調整される。変動部４３は当接面４３ａを備え、調整部材４４によって、第１調整板部４２ａと第２調整板部４２ｂとの間隔が調整されることに応じて、支持バー４１の長手方向に沿って変動し、これによって、切断部材５の切断位置が微調整される。
【００５３】
この例では、図２（Ａ）の構成とは異なり、変動部４３の断面が図３（Ａ）に示すように、Ｌ字型に構成され、直交する２面において調整部４２の端部と連接する。
【００５４】
図３（Ｂ）は、本発明の他の実施態様に係る鋸用ガイド５０を示す図であり、支持バー５１、調整部５２、及び変動部５３を含むように構成される。基本的な構成は、図２（Ａ）の構成と同様である。すなわち、調整部５２は、第１調整板部５２ａと第２調整板部５２ｂを含み、第１調整板部５２ａと第２調整板部５２ｂとの間隔は調整部材５４によって微調整される。変動部５３は当接面５３ａを備え、調整部材５４によって、第１調整板部５２ａと第２調整板部５２ｂとの間隔が調整されることに応じて、支持バー５１の長手方向に沿って変動し、これによって、切断部材５の切断位置が微調整される。
【００５５】
この例では、図２（Ａ）の構成とは異なり、図３（Ｂ）に示すように、変動部５３が２つの部材により構成される。第１の部材は、断面がＬ字型に構成され、直交する２面において調整部５２の端部と連接する。第２の部材は、当接面５３ａを備え、第１の部材の１面と連接する。
【００５６】
図４（Ａ）は、本発明の他の実施態様に係る鋸用ガイド６０を示す図であり、支持バー６１、調整部６２、及び変動部６３を含むように構成される。この例では、支持バー６１と調整部６２は、例えば、一体的に構成された板状部材からなり、図４（Ａ）に示すように、支持バー６１から延びた板状部材を上方向に約９０度（すなわち、支持バー６１の長手方向とほぼ直角に）屈曲させて、調整部６２の第１調整板部６２ａを構成し、さらに、支持バー６１から約９０度上方向に屈曲されて延びた板状部材を下方向に約１８０度（すなわち、支持バー６１の長手方向とほぼ直角に）屈曲させて、調整部６２の第２調整板部６２ｂを構成し、そのまま延びた板状部材の一面に、当接面６３ａを備えた変動部６３が連接される。
【００５７】
第１調整板部６２ａと第２調整板部６２ｂの間隔は、調整部材６４（例えば、図２（Ａ）と同じ構成の調整部材、詳細は省略する）により行われ、当該間隔の変動によって、変動部６３が、支持バー６１の長手方向に沿って変動し、切断部材５の切断位置が微調整される。
【００５８】
図４（Ｂ）は、本発明の他の実施態様に係る鋸用ガイド７０を示す図であり、支持バー７１、調整部７２、及び変動部７３を含むように構成される。この例では、支持バー７１と調整部７２は、例えば、一体的に構成された板状部材からなり、図４（Ｂ）に示すように、支持バー７１から延びた板状部材を下方向に約１８０度（すなわち、支持バー７１の長手方向とほぼ平行に）屈曲させた後、右斜め下方向に約４５度屈曲させて調整部７２の第１調整板部７２ａを構成し、さらに、左斜め上方向に約１８０度屈曲させて調整部７２の第２調整板部７２ｂを構成するとともに、そこから板状部材を上方向に（支持バー７１の長手方向とほぼ直角に）枝分かれさせて調整部７２の端部とし、そこに、当接面７３ａを備えた変動部７３を連接する。
【００５９】
第１調整板部７２ａと第２調整板部７２ｂの間隔は、調整部材７４（例えば、図２（Ａ）と同じ構成の調整部材、詳細は省略する）により行われ、当該間隔の変動によって、変動部７３が、支持バー７１の長手方向に沿って変動し、切断部材５の切断位置が微調整される。
【００６０】
図５（Ａ）は、本発明の他の実施態様に係る鋸用ガイド８０を示す図であり、支持バー８１、調整部８２、及び変動部８３を含むように構成される。この例では、支持バー８１と調整部８２は、例えば、一体的に構成された板状部材からなり、図５（Ａ）に示すように、支持バー８１から延びた板状部材を右斜め下方向に約４５度屈曲させて調整部８２の第１調整板部８２ａを構成し、その後、左斜め上方向に約１８０度屈曲させて調整部８２の第２調整板部８２ｂを構成し、さらに、右方向に（支持バー８１の長手方向とほぼ平行に）屈曲させた後、下方向に（支持バー８１の長手方向とほぼ直角に）屈曲させて調整部８２の端部とし、そこに、当接面８３ａを備えた変動部８３を連接する。
【００６１】
第１調整板部８２ａと第２調整板部８２ｂの間隔は、調整部材８４（例えば、図２（Ａ）と同じ構成の調整部材、詳細は省略する）により行われ、当該間隔の変動によって、変動部８３が、支持バー８１の長手方向に沿って変動し、切断部材５の切断位置が微調整される。
【００６２】
図５（Ｂ）は、本発明の他の実施態様に係る鋸用ガイド９０を示す図であり、支持バー９１、調整部９２、及び変動部９３を含むように構成される。この例では、支持バー９１と調整部９２は、例えば、一体的に構成された板状部材からなり、図５（Ｂ）に示すように、支持バー９１から延びた板状部材を右斜め下方向に約４５度屈曲させて調整部９２の第１調整板部９２ａを構成し、その後、左斜め上方向に約１８０度屈曲させて調整部９２の第２調整板部９２ｂを構成し、さらに、右斜め下方向に屈曲させて調整部９２の端部とし、そこに、当接面９３ａを備えた変動部９３を連接する。変動部９３は、支持バー９１の長手方向にほぼ直角で変動部９３の長手方向に沿って配置された回転軸９３ｂによって調整部９２の端部と連接する。
【００６３】
第１調整板部９２ａと第２調整板部９２ｂの間隔は、調整部材９４（例えば、図２（Ａ）と同じ構成の調整部材、詳細は省略する）により行われ、当該間隔の変動によって、変動部９３が、支持バー９１の長手方向に沿って変動し、切断部材５の切断位置が微調整される。
【００６４】
上述したように、本発明の鋸用ガイドの構成について様々なバリエーションを考えることができるが、ここまで示した例に限定されるものではない。本発明の鋸用ガイドでは、対向する位置関係にある第１調整板部と第２調整板部の間隔が調整部材によって調整され、これによって変動部の位置が変化し、切断部材５の切断位置が微調整される構成となっている。
【００６５】
次に、図６ないし図１１を参照して、本発明の鋸用ガイドにおける調整部材の構成について説明する。図６（Ａ）は、本発明の一実施形態に係る鋸用ガイドにおける調整部材であるネジ１００の構成を示している。
【００６６】
ネジ１００は、ネジ頭１０１、第１ネジ凸部１０２、及びネジ山１０５を備える。ネジ１００はまた、第１調整板部１１０のネジ穴と第２調整板部１１２のネジ穴を通るように配置される。ここで、第１調整板部１１０のネジ穴については、ネジの回転によっても螺動することなく、ネジ１００の回転軸方向に関して、ネジ１００と第１調整板部１１０との位置関係が変わらないように構成される。一方、第２調整板部１１２のネジ穴はネジ１００と係合し、ネジの回転によって、ネジ１００のネジ山１０５が第２調整板部１１２のネジ穴のネジ溝に沿って螺動し、ネジ１００の回転軸方向に関して、ネジ１００と第２調整板部１１２との位置関係が変動し、結果的に第１調整板部１１０と第２調整板部１１２の間隔が変化するように構成される。
【００６７】
また、図６（Ａ）の例では、ネジ１００と第１調整板部１１０との（ネジ１００の回転軸方向における）位置関係が変わらないようにするため、さらに、ネジ１００に第２ネジ凸部１０４を設けている。第２ネジ凸部１０４は、例えば、ネジ１００に設けた切欠部に、Ｅリングやサークリップなどのスナップリングをはめ込むように構成することができる。また、平ワッシャとＲピンの組合せやダブルナット方式を用いれば、切欠部を設けることなく、ネジ１００に同様の機能を持たせることができる。さらに、ネジ１００と第２ネジ凸部１０４を一体的に構成し、第１調整板部１１０にはめ込むようにすることもできる。
【００６８】
ネジ１００の第１ネジ凸部１０２は、この例では、ネジ１００と一体的に構成されるが、上述した第２ネジ凸部１０４と同様に、後でネジ１００に付加するよう構成することもできる。
【００６９】
このように、第１ネジ凸部１０２と第２ネジ凸部１０４は、ネジ１００が、第１調整板部１１０に対して（ネジ１００の回転軸方向に）変位することを制限するように機能する。
【００７０】
さらに、図６（Ａ）の例では、ネジ１００の第１ネジ凸部１０２と第１調整板部１１０との間にバネ１０３を配置している。これは、ネジ１００と第１調整板部１１０との間のクリアランス（遊び）による誤差を防止するためのものであり、バネ１０３によって、より高精度に切断部材５の切断位置を調整することができる。また、このような構成により、ネジ１００が振動によって回転したり、誤作動したりすることを防止できる。また、バネ１０３に替えて、ゴム材の０リング、波形ワッシャ、スプリングワッシャといった他の弾性体を用いることもできる（図６及び図７で説明する他のバネについても同じ）。さらに、第１ネジ凸部１０２と第２ネジ凸部１０４が、第１調整板部１１０の遊び（変位可能幅）を所定距離以内に抑止できる位置間隔で配置されているような場合には、バネ１０３を省略することもできる。
【００７１】
図６（Ｂ）は、本発明の一実施形態に係る鋸用ガイドにおける調整部材であるネジ１２０の構成を示している。
【００７２】
ネジ１２０は、ネジ頭１２１、及びネジ山１２５を備える。ネジ１２０はまた、第１調整板部１３０のネジ穴と第２調整板部１３２のネジ穴を通るように配置される。ここで、第１調整板部１３０のネジ穴については、ネジの回転によっても螺動することなく、ネジ１２０の回転軸方向に関して、ネジ１２０と第１調整板部１３０との位置関係が変わらないように構成される。一方、第２調整板部１３２のネジ穴はネジ１２０と係合し、ネジの回転によって、ネジ１２０のネジ山１２５が第２調整板部１３２のネジ穴のネジ溝に沿って螺動し、ネジ１２０の回転軸方向に関して、ネジ１２０と第２調整板部１３２との位置関係が変動し、結果的に第１調整板部１３０と第２調整板部１３２の間隔が変化するように構成される。
【００７３】
また、図６（Ｂ）の例では、ネジ１２０と第１調整板部１３０との（ネジ１２０の回転軸方向における）位置関係が変わらないようにするため、さらに、ネジ１２０に第２ネジ凸部１２４を設けている。第２ネジ凸部１２４の構成は、上述した、第２ネジ凸部１０４の構成と同様である。
【００７４】
また、図６（Ｂ）の例では、図６（Ａ）の構成とは異なり、第１ネジ凸部を有しないが、図６（Ａ）に示すネジ１００の第１ネジ凸部１０２の機能は、ネジ頭１２１が果たすことになる。ここで、ネジ頭１２１と第２ネジ凸部１２４は、ネジ１２０が、第１調整板部１３０に対して（ネジ１２０の回転軸方向に）変位することを制限するように機能する。
【００７５】
さらに、図６（Ｂ）の例では、ネジ１２０のネジ頭１２１と第１調整板部１３０との間にバネ１２３を配置している。これは、ネジ１２０と第１調整板部１３０との間のクリアランス（遊び）による誤差を防止するためのものであり、バネ１２３によって、より高精度に切断部材５の切断位置を調整することができる。また、このような構成により、ネジ１２０が振動によって回転したり、誤作動したりすることを防止できる。
【００７６】
図７（Ａ）は、本発明の一実施形態に係る鋸用ガイドにおける調整部材であるネジ１４０の構成を示している。
【００７７】
ネジ１４０は、ネジ頭１４１、第１ネジ凸部１４２、及びネジ山１４５を備える。ネジ１４０はまた、第１調整板部１５０のネジ穴と第２調整板部１５２のネジ穴を通るように配置される。ここで、第１調整板部１５０のネジ穴については、ネジの回転によっても螺動することなく、ネジ１４０の回転軸方向に関して、ネジ１４０と第１調整板部１５０との位置関係が変わらないように構成される。一方、第２調整板部１５２のネジ穴はネジ１４０と係合し、ネジの回転によって、ネジ１４０のネジ山１４５が第２調整板部１５２のネジ穴のネジ溝に沿って螺動し、ネジ１４０の回転軸方向に関して、ネジ１４０と第２調整板部１５２との位置関係が変動し、結果的に第１調整板部１５０と第２調整板部１５２の間隔が変化するように構成される。
【００７８】
また、図７（Ａ）の例では、ネジ１４０と第１調整板部１５０との（ネジ１４０の回転軸方向における）位置関係が変わらないようにするため、さらに、ネジ１４０に第２ネジ凸部１４４を設けている。第２ネジ凸部１４４の構成は、図６（Ａ）で上述した、ネジ１００の第２ネジ凸部１０４の構成と同様である。
【００７９】
ネジ１４０の第１ネジ凸部１４２は、この例では、ネジ１４０と一体的に構成されるが、上述したネジ１００の第２ネジ凸部１０４と同様に、後でネジ１４０に付加するよう構成することもできる。
【００８０】
このように、第１ネジ凸部１４２と第２ネジ凸部１４４は、ネジ１４０が、第１調整板部１５０に対して（ネジ１４０の回転軸方向に）変位することを制限するように機能する。
【００８１】
さらに、図７（Ａ）の例では、ネジ１４０の第２ネジ凸部１４４と第１調整板部１５０との間にバネ１４３を配置している。これは、ネジ１４０と第１調整板部１５０との間のクリアランス（遊び）による誤差を防止するためのものであり、バネ１４３によって、より高精度に切断部材５の切断位置を調整することができる。また、このような構成により、ネジ１４０が振動によって回転したり、誤作動したりすることを防止できる。さらに、第１ネジ凸部１４２と第２ネジ凸部１４４が、第１調整板部１５０の遊び（変位可能幅）を所定距離以内に抑止できる位置間隔で配置されているような場合には、バネ１４３を省略することができる。
【００８２】
図７（Ｂ）は、本発明の一実施形態に係る鋸用ガイドにおける調整部材であるネジ１６０の構成を示している。
【００８３】
ネジ１６０は、ネジ頭１６１、第１ネジ凸部１６２、及びネジ山１６５を備える。ネジ１６０はまた、第１調整板部１７０のネジ穴と第２調整板部１７２のネジ穴を通るように配置される。ここで、第１調整板部１７０のネジ穴については、ネジの回転によっても螺動することなく、ネジ１５０の回転軸方向に関して、ネジ１５０と第１調整板部１７０との位置関係が変わらないように構成される。一方、第２調整板部１７２のネジ穴はネジ１５０と係合し、ネジの回転によって、ネジ１６０のネジ山１６５が第２調整板部１７２のネジ穴のネジ溝に沿って螺動し、ネジ１６０の回転軸方向に関して、ネジ１６０と第２調整板部１７２との位置関係が変動し、結果的に第１調整板部１７０と第２調整板部１７２の間隔が変化するように構成される。
【００８４】
また、図７（Ｂ）の例では、ネジ１６０と第１調整板部１７０との（ネジ１６０の回転軸方向における）位置関係が変わらないようにするため、さらに、ネジ１６０に第２ネジ凸部１６４を設けている。第２ネジ凸部１６４の構成は、図６（Ａ）で上述した、ネジ１００の第２ネジ凸部１０４の構成と同様である。
【００８５】
ネジ１６０の第１ネジ凸部１６２は、この例では、ネジ１６０と一体的に構成されるが、上述したネジ１００の第２ネジ凸部１０４と同様に、後でネジ１６０に付加するよう構成することもできる。
【００８６】
このように、第１ネジ凸部１６２と第２ネジ凸部１６４は、ネジ１６０が、第１調整板部１７０に対して（ネジ１６０の回転軸方向に）変位することを制限するように機能する。
【００８７】
さらに、図７（Ｂ）の例では、ネジ１６０の第１ネジ凸部１６２と第１調整板部１７０との間にバネ１６３を配置している。これは、ネジ１６０と第１調整板部１７０との間のクリアランス（遊び）による誤差を防止するためのものであり、バネ１６３によって、より高精度に切断部材５の切断位置を調整することができる。また、このような構成により、ネジ１６０が振動によって回転したり、誤作動したりすることを防止できる。さらに、第１ネジ凸部１６２と第２ネジ凸部１６４が、第１調整板部１７０の遊び（変位可能幅）を所定距離以内に抑止できる位置間隔で配置されているような場合には、バネ１６３を省略することができる。
【００８８】
またさらに、図７（Ｂ）の例では、ネジ１６０の第２ネジ凸部１６４と第２調整板部１７２との間にバネ１６６を配置している。これは、ネジ１６０と第２調整板部１７２との間のクリアランス（ネジ山とネジ溝の遊び）による誤差を防止するためのものであり、バネ１６６によって、さらに高精度に切断部材５の切断位置を調整することができる。また、このような構成により、ネジ１６０が振動によって回転したり、誤作動したりすることを防止できる。
【００８９】
図８（Ａ）は、本発明の一実施形態に係る鋸用ガイドにおける調整部材であるネジ２００の構成を示している。
【００９０】
ネジ２００は、ネジ頭２０１、第１ネジ凸部２０２、及びネジ山２０５を備える。ネジ２００はまた、第１調整板部２１０のネジ穴と第２調整板部２１２のネジ穴を通るように配置される。ここで、第１調整板部２１０のネジ穴については、ネジの回転によっても螺動することなく、ネジ２００の回転軸方向に関して、ネジ２００と第１調整板部２１０との位置関係が変わらないように構成される。一方、第２調整板部２１２のネジ穴はネジ２００と係合し、ネジの回転によって、ネジ２００のネジ山２０５が第２調整板部２１２のネジ穴のネジ溝に沿って螺動し、ネジ２００の回転軸方向に関して、ネジ２００と第２調整板部２１２との位置関係が変動し、結果的に第１調整板部２１０と第２調整板部２１２の間隔が変化するように構成される。
【００９１】
また、図８（Ａ）の例では、ネジ２００と第１調整板部２１０との（ネジ２００の回転軸方向における）位置関係が変わらないようにするため、さらに、ネジ２００に第２ネジ凸部２０４を設けている。第２ネジ凸部２０４の構成は、図６（Ａ）で上述した、ネジ１００の第２ネジ凸部１０４の構成と同様である。
【００９２】
ネジ２００の第１ネジ凸部２０２は、この例では、ネジ２００と一体的に構成されるが、上述したネジ１００の第２ネジ凸部１０４と同様に、後でネジ２００に付加するよう構成することもできる。
【００９３】
このように、第１ネジ凸部２０２と第２ネジ凸部２０４は、ネジ２００が、第１調整板部２１０に対して（ネジ２００の回転軸方向に）変位することを制限するように機能する。
【００９４】
また、図８（Ａ）の例では、ネジ２００が回転しないようにするため、第１調整板部２１０にネジ固定部２０７を設けている。ネジ固定部２０７は、第１調整板部２１０に固定されており、ネジ頭２０１の外周面上部方向に屈曲して延び、端部付近で下側に突出した突起部２０７ａが配置されている。屈曲部分は板バネ状の構造になっており、突起部２０７ａがわずかに上下動するようになっている。突起部２０７ａは、ネジ２００のネジ頭２０１の外周面に配置されたノッチ部分に当接して、ネジ２００を半固定状態に保ち、所定以上の力が加えられた場合にネジ２００の回転が可能となる。このような構成により、ネジ２００の空転、振動による回転、誤作動等を防止できる。
【００９５】
また、図８（Ａ）の構成において、図６（Ａ）ないし図７（Ｂ）に示すようなバネを配置して、ネジ２００と第１調整板部２１０との間のクリアランス（遊び）による誤差を防止したり、ネジ２００と第２調整板部２１２との間のクリアランス（ネジ山とネジ溝の遊び）による誤差を防止したりするように構成することもできる。
【００９６】
図８（Ｂ）は、図８（Ａ）において矢印Ａの方向から見たネジ２００と第１調整板部２１０を示す図である。左側の図は、ネジ２００が配置された状態を示す図であり、右側の図は、ネジ２００が配置されていない状態を表す図である。
【００９７】
図８（Ｂ）に示すように、ネジ固定部２０７がネジ２００のネジ頭２０１の外周面上方まで延び、そこに配置された突起部２０７ａが、ネジ頭２０１の外周面に配置されたノッチ部分に当接して、ネジ２００を半固定状態に保ち、所定以上の力が加えられた場合にネジ２００の回転が可能となる。ネジ固定部２０７は、第１調整板部２１０に保持され、第１調整板部２１０のネジ穴に対応する位置に穴が空けられており、ネジ２００による第１調整板部２１０の貫通を妨げないように構成されている。また、ネジ固定部２０７は、第１調整板部２１０に固着されてもよいし、ネジ２００の第１ネジ凸部２０２と第１調整板部２１０との間に挟持されることによって保持されるように構成されていてもよい。
【００９８】
図９は、本発明の一実施形態に係る鋸用ガイドにおける調整部材であるネジ２２０の構成を示している。
【００９９】
ネジ２２０は、ネジ頭２２１、第１ネジ凸部２２２、及びネジ山２２５を備える。ネジ２２０はまた、第１調整板部２３０のネジ穴と第２調整板部２３２のネジ穴を通るように配置される。ここで、第１調整板部２３０のネジ穴については、ネジの回転によっても螺動することなく、ネジ２２０の回転軸方向に関して、ネジ２２０と第１調整板部２３０との位置関係が変わらないように構成される。一方、第２調整板部２３２のネジ穴はネジ２２０と係合し、ネジの回転によって、ネジ２２０のネジ山２２５が第２調整板部２３２のネジ穴のネジ溝に沿って螺動し、ネジ２２０の回転軸方向に関して、ネジ２２０と第２調整板部２３２との位置関係が変動し、結果的に第１調整板部２３０と第２調整板部２３２の間隔が変化するように構成される。
【０１００】
また、図９の例では、ネジ２２０と第１調整板部２３０との（ネジ２２０の回転軸方向における）位置関係が変わらないようにするため、さらに、ネジ２２０に第２ネジ凸部２２４を設けている。第２ネジ凸部２２４の構成は、図６（Ａ）で上述した、ネジ１００の第２ネジ凸部１０４の構成と同様である。
【０１０１】
ネジ２２０の第１ネジ凸部２２２は、この例では、ネジ２２０と一体的に構成されるが、上述したネジ１００の第２ネジ凸部１０４と同様に、後でネジ２２０に付加するよう構成することもできる。
【０１０２】
このように、第１ネジ凸部２２２と第２ネジ凸部２２４は、ネジ２２０が、第１調整板部２３０に対して（ネジ２２０の回転軸方向に）変位することを制限するように機能する。
【０１０３】
また、図９の例では、ネジ２２０が回転しないようにするため、第１調整板部２３０にネジ固定部２２８を設けている。ネジ固定部２２８は、第１調整板部２３０に固定されており、ネジ頭２２１の内周面（裏側）下部方向に屈曲して延び、端部付近で上側に突出した突起部２２８ａが配置されている。屈曲部分は板バネ状の構造になっており、突起部２２８ａがわずかに上下動するようになっている。突起部２２８ａは、ネジ２２０のネジ頭２２１の内周面に配置されたノッチ部分に当接して、ネジ２２０を半固定状態に保ち、所定以上の力が加えられた場合にネジ２２０の回転が可能となる。このような構成により、ネジ２００の空転、振動による回転、誤作動等を防止できる。また、ネジ固定部２２８が、ネジ２２０の外周面に配置されないため、ネジ２２０を操作する際に、ネジ固定部２２８に触れることがなくなり、操作性の一層の向上が図られるとともに、ネジ頭２２１の形状を、多角形やレバー形状といった、円形以外の様々な形状に形成することができる。
【０１０４】
また、図９の構成において、図６（Ａ）ないし図７（Ｂ）に示すようなバネを配置して、ネジ２２０と第１調整板部２３０との間のクリアランス（遊び）による誤差を防止したり、ネジ２２０と第２調整板部２３２との間のクリアランス（ネジ山とネジ溝の遊び）による誤差を防止したりするように構成することもできる。
【０１０５】
図１０（Ａ）は、本発明の一実施形態に係る鋸用ガイドにおける調整部材である摺動溝係合突起付レバー３０１と、これに係合する摺動溝を備えたレバー係合部３０４を示している。
【０１０６】
摺動溝係合突起付レバー３０１は、回転軸３０３、及び摺動溝係合突起３０６を備えている。回転軸３０３は、第１調整板部３１０に保持された軸受け部材３０２により回転可能に保持される。また、レバー係合部３０４は第２調整板部３１２に保持され、第２調整板部３１２に沿って、レバー係合部３０４の上側から下側にかけて摺動溝３０５が配置される。摺動溝３０５は、レバー係合部３０４の上側から下側へ進むに従って、第２調整板部３１２との距離が小さくなるように配置されている。
【０１０７】
図１０（Ａ）に示す状態において、摺動溝係合突起付レバー３０１を上方向に移動させるよう操作すると、摺動溝係合突起３０６が摺動溝３０５を下方向に滑動し、図１０（Ｂ）に示す状態に遷移する。上述のように、摺動溝３０５が、レバー係合部３０４の下側へ進むに従って、第２調整板部３１２との距離が小さくなるように配置されているため、摺動溝３０５と摺動溝係合突起３０６との係合により、第１調整板部３１０と第２調整板部３１２との間隔が、図１０（Ａ）のｄ１から、図１０（Ｂ）のｄ２に広げられる。
【０１０８】
また、摺動溝係合突起付レバー３０１の変動、振動による移動、誤作動等を防止するために、レバー係合部３０４にノッチ構造３０８を設け、これらが、対応する位置で、相対する摺動溝係合突起付レバー３０１の突起に当接する変動防止機構を備えるように構成される。このような構成により、所定以上の力が摺動溝係合突起付レバー３０１に加えられた場合に、摺動溝係合突起付レバー３０１が回転移動し、レバー係合部３０４のノッチ構造３０８における次の停止位置で保持される。
【０１０９】
このほか、回転軸３０３において摺動溝係合突起付レバー３０１を締め付けて固定し、摺動溝係合突起付レバー３０１の回転を防止するような機構や、摺動溝係合突起３０６に近い位置で、レバー係合部３０４と摺動溝係合突起付レバー３０１とを締め付けて固定し、摺動溝係合突起付レバー３０１の回転を防止するような機構等を採用することができる。またさらに、回転軸３０３や摺動溝係合突起３０６を、弾性体を介して組み付け、摩擦力によって固定するといった方法をとることもできる。
【０１１０】
このような摺動溝係合突起付レバー３０１と、これに係合する摺動溝を備えたレバー係合部３０４を含む構成によって、第１調整板部３１０と第２調整板部３１２との間隔を微調整することができる。また、摺動溝３０５の形状を変更することによって、摺動溝係合突起付レバー３０１を操作したときの、調整板部の可動範囲や可動の割合（どの程度、摺動溝係合突起付レバー３０１を移動させた場合に、第１調整板部３１０と第２調整板部３１２との間隔がどの程度変化するか等）を調整することができる。
【０１１１】
なお、この例で、回転軸３０３は、図１０（Ａ）に示すように、第１調整板部３１０に保持されるが、これを第２調整板部３１２に保持されるようにし、第１調整板部３１０にレバー係合部３０４を設けるようにしてもよい。また、この例では、回転軸３０３の回転軸方向は、第１調整板部３１０の長手方向にほぼ直角で、かつ第１調整板部３１０の板面部にほぼ平行な方向に設定されるが、例えば、当該回転軸方向を、第１調整板部３１０の長手方向にほぼ平行な方向に設定し、摺動溝係合突起付レバー３０１の操作を、第１調整板部３１０の長手方向にほぼ平行な方向（図１０（Ａ）における上下方向）ではなく、第１調整板部３１０の長手方向にほぼ直角な方向（図１０（Ａ）における奥から手前の方向）に行うよう構成してもよい。
【０１１２】
図１１（Ａ）は、本発明の一実施形態に係る鋸用ガイドにおける調整部材であるカム付レバー３２１を示している。
【０１１３】
カム付レバー３２１は、回転軸３２３、及びカム３２４を備えている。回転軸３２３は、第１調整板部３３０に保持された軸受部材３２２により回転可能に保持される。また、カム３２４は第２調整板部３３２に接するように配置されている。カム３２４は、中心（回転軸３２３に係合する部分）から円弧までの距離が、下側端部から上側端部に向かって長くなるように構成されている。
【０１１４】
図１１（Ａ）に示す状態において、カム付レバー３２１を上方向に移動させるよう操作すると、カム３２４の円弧部分が第２調整板部３３２に接したまま下方向に回転移動し、図１１（Ｂ）に示す状態に遷移する。上述のように、カム３２４は、中心から円弧までの距離が下側では短く、上側では長くなっているため、カム３２４の回転移動とともに第２調整板部３３２を、第１調整板部３３０とは反対の方向に押し出し、第１調整板部３３０と第２調整板部３３２との間隔が、図１１（Ａ）のｄ３から、図１１（Ｂ）のｄ４に広げられる。また、第１調整板部３３０と第２調整板部３３２は１つの板状部材によって形成され、第１調整板部３３０と第２調整板部３３２との間の屈曲部分は板バネ状の構造になっているため、カム付レバー３２１を下方向に移動させるよう操作すると、カム３２４の円弧部分が第２調整板部３３２に接したまま上方向に回転移動し、第１調整板部３３０と第２調整板部３３２との間隔が狭くなるよう変動する。
【０１１５】
また、カム付レバー３２１の変動、振動による移動、誤作動等を防止するために、軸受部材３２２にノッチ構造３２５を設け、これらが、対応する位置で、相対するカム付レバー３２１の突起に当接する変動防止機構を備えるように構成される。このような構成により、所定以上の力がカム付レバー３２１に加えられた場合に、カム付レバー３２１が回転移動し、軸受部材３２２のノッチ構造３２５における次の停止位置で保持される。
【０１１６】
このほか、回転軸３２３においてカム付レバー３２１を締め付けて固定し、カム付レバー３２１の回転を防止するような機構等を採用することができる。またさらに、回転軸３２３を、弾性体を介して組み付け、摩擦力によって固定するといった方法をとることもできる。
【０１１７】
このようなカム付レバー３２１を含む構成によって、第１調整板部３３０と第２調整板部３３２との間隔を微調整することができる。また、カム３２４の形状を変更することによって、カム付レバー３２１を操作したときの、調整板部の可動範囲や可動の割合（どの程度、カム付レバー３２１を移動させた場合に、第１調整板部３３０と第２調整板部３３２との間隔がどの程度変化するか等）を調整することができる。
【０１１８】
なお、この例で、回転軸３２３は、図１１（Ａ）に示すように、第１調整板部３３０に保持されるが、これを第２調整板部３３２に保持されるようにし、第１調整板部３３０にカム付レバー３２１のカム３２４が接するようにしてもよい。また、この例では、回転軸３２３の回転軸方向は、第１調整板部３３０の長手方向にほぼ直角で、かつ第１調整板部３３０の板面部にほぼ平行な方向に設定されるが、例えば、軸受部材３２２の構成を変更して、当該回転軸方向を、第１調整板部３３０の長手方向にほぼ平行な方向に設定し、カム付レバー３２１の操作を、第１調整板部３３０の長手方向にほぼ平行な方向（図１１（Ａ）における上下方向）ではなく、第１調整板部３３０の長手方向にほぼ直角な方向（図１１（Ａ）における奥から手前の方向）に行うよう構成してもよい。
【０１１９】
次に、図１２ないし図１４を参照して、本発明に係る鋸用ガイドの変動部のバリエーションについて説明する。図１２（Ａ）は、図３（Ａ）に示す鋸用ガイド４０の変形例である鋸用ガイド４００を示す図である。
【０１２０】
鋸用ガイド４００は、支持バー４０１、調整部４０２、及び変動部４０３を含むように構成される。調整部４０２は、第１調整板部４０２ａと第２調整板部４０２ｂを含み、第１調整板部４０２ａと第２調整板部４０２ｂとの間隔は調整部材４０４によって微調整される。変動部４０３の当接面４０３ａは、調整部材４０４によって第１調整板部４０２ａと第２調整板部４０２ｂとの間隔が調整されることに応じて、支持バー４０１の長手方向に沿って変動し、これによって、切断部材５の切断位置が微調整される。
【０１２１】
ここで、変動部４０３は、図３（Ａ）に示す鋸用ガイド４０の変動部４３とは異なり、当接面４０３ａと反対側の端部（後述する図１２（Ｂ）で示す台形頂部）が、支持バー４０１から延びる板状部材（支持バー４０１から延びて約１８０度下方向に屈曲し、支持バー４０１とほぼ平行に配置された板状部材）まで延び、そこに、当該板状部材を囲むように構成されたスライド部４０５が設けられる。
【０１２２】
鋸用ガイド４００の、このような構成によって、切断部材５の切断の際に、変動部４０３の振れや振動を抑止することができ、結果的に、第１調整板部４０２ａと第２調整板部４０２ｂとの間隔を高精度で調整し、維持することができる。
【０１２３】
図１２（Ｂ）は、図１２（Ａ）に示した鋸用ガイド４００の変動部４０３を示した図である。変動部４０３は当接面４０３ａとスライド部４０５を備え、さらに、当接面４０３ａとスライド部４０５を接続する略台形の接続部４０６を含むように構成される。接続部４０６の台形頂部付近には、スライド部４０５が設けられ、接続部４０６とスライド部４０５によって、貫通孔４０７が形成される。この貫通孔４０７に、支持バー４０１から延びる上記板状部材が貫通し、第１調整板部４０２ａと第２調整板部４０２ｂとの間隔が調整部材４０４によって調整された場合に、変動部４０３の当接面４０３ａが、この板状部材に沿ってスライド可能となる。
【０１２４】
この例では、接続部４０６は、板状の略台形の構成となっているが、これに限られるものではない。当接面４０３ａが、第１調整板部４０２ａと第２調整板部４０２ｂとの間隔調整に伴ってスライド可能であれば、どのような形状でもよい。また、スライド部４０５と接続部４０６とによって、必ずしも貫通孔が形成される必要はない。例えば、当接面４０３ａがスライドするために上記板状部材に部分的に係合するガイド機構を有するように構成する等、様々な構成が可能である。
【０１２５】
図１３（Ａ）は、図４（Ａ）に示す鋸用ガイド６０の変形例である鋸用ガイド４１０を示す図である。
【０１２６】
鋸用ガイド４１０は、支持バー４１１、調整部４１２、及び変動部４１３を含むように構成される。この例では、支持バー４１１と調整部４１２は、例えば、一体的に構成された板状部材からなり、支持バー４１１から延びる板状部材を上方向に約９０度（すなわち、支持バー４１１の長手方向とほぼ直角に）屈曲させて、調整部４１２の第１調整板部４１２ａを構成し、さらに、支持バー４１１から約９０度上方向に屈曲されて延びた板状部材を下方向に約１８０度（すなわち、支持バー４１１の長手方向とほぼ直角に）屈曲させて、調整部４１２の第２調整板部４１２ｂを構成し、そのまま延びた板状部材の一面に変動部４１３が連接される。
【０１２７】
ここで、変動部４１３は、図４（Ａ）に示す鋸用ガイド６０の変動部６３とは異なり、支持バー４１１に沿ってスライドするスライド部４１５、及び当接面４１３ａを備える変動部４１３とスライド部４１５とを接続する接続部４１６を備える。
【０１２８】
鋸用ガイド４１０の、このような構成によって、切断部材５の切断の際に、変動部４１３の振れや振動を抑止することができ、結果的に、第１調整板部４１２ａと第２調整板部４１２ｂとの間隔を高精度で調整することができる。
【０１２９】
また、この例の変動部４１３も、図１２（Ｂ）について説明した変動部４０３と同様に、様々な他の構成をとることができる。
【０１３０】
図１３（Ｂ）は、図４（Ｂ）に示す鋸用ガイド７０の変形例である鋸用ガイド４２０を示す図である。
【０１３１】
鋸用ガイド４２０は、支持バー４２１、調整部４２２、及び変動部４２３を含むように構成される。この例では、支持バー４２１と調整部４２２は、例えば、一体的に構成された板状部材からなり、支持バー４２１から延びる板状部材を下方向に約１８０度（すなわち、支持バー４２１の長手方向とほぼ平行に）屈曲させた後、右斜め下方向に約４５度屈曲させて調整部４２２の第１調整板部４２２ａを構成し、さらに、左斜め上方向に約１８０度屈曲させて調整部４２２の第２調整板部４２２ｂを構成するとともに、そこから板状部材を上方向に（支持バー４２１の長手方向とほぼ直角に）枝分かれさせて調整部４２２の端部とし、そこに、変動部４２３を連接する。
【０１３２】
ここで、変動部４２３は、図４（Ｂ）に示す鋸用ガイド７０の変動部７３とは異なり、支持バー４２１に沿ってスライドするスライド部４２５、及び当接面４２３ａを備える変動部４２３とスライド部４２５とを接続する接続部４２６を備える。
【０１３３】
鋸用ガイド４２０の、このような構成によって、切断部材５の切断の際に、変動部４２３の振れや振動を抑止することができ、結果的に、第１調整板部４２２ａと第２調整板部４２２ｂとの間隔を高精度で調整することができる。
【０１３４】
また、この例の変動部４２３も、図１２（Ｂ）について説明した変動部４０３と同様に、様々な他の構成をとることができる。
【０１３５】
図１４は、図５（Ａ）に示す鋸用ガイド８０の変形例である鋸用ガイド４３０を示す図である。
【０１３６】
鋸用ガイド４３０は、支持バー４３１、調整部４３２、及び変動部４３３を含むように構成される。この例では、支持バー４３１と調整部４３２は、例えば、一体的に構成された板状部材からなり、支持バー４３１から延びる板状部材を右斜め下方向に約４５度屈曲させて調整部４３２の第１調整板部４３２ａを構成し、その後、左斜め上方向に約１８０度屈曲させて調整部４３２の第２調整板部４３２ｂを構成し、さらに、右方向に（支持バー４３１の長手方向とほぼ平行に）屈曲させた後、下方向に（支持バー４３１の長手方向とほぼ直角に）屈曲させて調整部４３２の端部とし、そこに、変動部４３３を連接する。
【０１３７】
ここで、変動部４３３は、図５（Ａ）に示す鋸用ガイド８０の変動部８３とは異なり、支持バー４３１に沿ってスライドするスライド部４３５、及び当接面４３３ａを備えた変動部４３３とスライド部４３５とを接続する接続部４３６を備える。
【０１３８】
鋸用ガイド４３０の、このような構成によって、切断部材５の切断の際に、変動部４３３の振れや振動を抑止することができ、結果的に、第１調整板部４３２ａと第２調整板部４３２ｂとの間隔を高精度で調整することができる。
【０１３９】
また、この例の変動部４３３も、図１２（Ｂ）について説明した変動部４０３と同様に、様々な他の構成をとることができる。
【０１４０】
ここまで、本発明の一実施形態に係る鋸用ガイドについて、本発明を実施することができるいくつかの実施例を示しながら説明してきたが、これらの実施例は本発明を説明するための一例に過ぎず、本発明の権利範囲はこれらの実施例に限定されることはない。これらの実施例以外の様々な方法や構成によって、本発明の技術的思想を実現することができる。また、ここまで説明してきた、本発明に係る鋸用ガイドの基本的構成、調整部材、及び変動部の各バリエーションを適宜組み合わせて新たな鋸用ガイドの構成とすることもできる。
【符号の説明】
【０１４１】
１  電動丸鋸
５  切断部材
１１  鋸刃
１２  カバー
１３  取っ手
１４  ハウジング
１５  ベース
１６  支持ネジ
１７  ガイド支持部
１８  ガイド貫通孔
２０  鋸用ガイド
２１  支持バー
２２  調整部
２２ａ  第１調整板部
２２ｂ  第２調整板部
２３  変動部
２３ａ  当接面
２４  調整部材
【要約】
【課題】切断部材の切断位置を、指先等による簡単な操作で微調整できる鋸用ガイドを提供することである。
【解決手段】鋸用ガイド２０は、支持バー２１、調整部２２、切断部材５の端部の位置を微調整するように変動する変動部２３、及びネジ等からなる調整部材２４を含む。鋸用ガイド２０の調整部材２４を操作することによって、調整部２２の第１調整板部２２ａと第２調整板部２２ｂとの間隔が変化し、それによって切断部材５の切断位置の微調整が行われる。
【選択図】図２【図１】
0005828465.tif 000002
【図２】
0005828465.tif 000003
【図３】
0005828465.tif 000004
【図４】
0005828465.tif 000005
【図５】
0005828465.tif 000006
【図６】
0005828465.tif 000007
【図７】
0005828465.tif 000008
【図８】
0005828465.tif 000009
【図９】
0005828465.tif 000010
【図１０】
0005828465.tif 000011
【図１１】
0005828465.tif 000012
【図１２】
0005828465.tif 000013
【図１３】
0005828465.tif 000014
【図１４】
0005828465.tif 000015